(57)【要約】【課題】基盤床面への衝撃吸収材の設置を能率良く行っていくことができ、しかも、各衝撃吸収材を安定良く設置していくことができ、また、各衝撃吸収材を基盤床面上において該面に沿う二次元方向の所定の位置に容易に設置していくことができる遮音床の施工方法を提供する。【解決手段】衝撃吸収材６…を保持板５の一方の面部に該面に沿う二次元方向に所定の分散状態となるように配置して保持させたパネル状防振部材４を用い、該パネル状防振部材４を、衝撃吸収材６…を下にし、保持板５…同士を突き合わせ状態にするようにして基盤床面２上に設置した後、該パネル状防振部材４の保持板５の上に床板８を設置する。【選択図】      図１
2009249996.tif 000002
【特許請求の範囲】
【請求項１】
衝撃吸収材を保持板の一方の面部に該面に沿う二次元方向に所定の分散状態となるように配置して保持させたパネル状防振部材を用い、該パネル状防振部材を、衝撃吸収材を下にして基盤床面上に設置した後、該パネル状防振部材の保持板の上に床板を設置することを特徴とする遮音床の施工方法。
【請求項２】
前記パネル状防振部材が複数枚備えられ、基盤床面上へのこれらパネル状防振部材の設置を、保持板同士を突き合わせ状態にして行っていく請求項１に記載の遮音床の施工方法。
【発明の詳細な説明】
【技術分野】
【０００１】
本発明は、遮音床の施工方法に関する。
【背景技術】
【０００２】
衝撃吸収材を、細長い根太状の保持材に、長さ方向に所定の間隔をおいた配置状態となるようにして保持させた複数本の根太状防振部材を用意し、該複数の根太状防振部材を、衝撃吸収材を下にして基盤床面上に所定間隔おきの並列状態となるように設置した後、床板を該根太状防振材の保持材の上面にわたすように設置していくというようにして遮音床を形成していく施工方法は、従来より知られている。
【０００３】
この方法によれば、衝撃吸収材を基盤床面上に、一つづつ、水平二次元方向に所定の分散配置状態となるように設置した後、その上に床板を設置していくという方法で施工する場合に比べて、施工を容易にすることができる。
【特許文献１】特開２００７−７０８１９号公報
【発明の開示】
【発明が解決しようとする課題】
【０００４】
しかしながら、上記のような施工方法では、各防振部材の保持材が細長い根太状をしているため、各衝撃吸収材を基盤床面の上に安定良く設置することができず、当たって衝撃吸収材が保持材とともに転んでしまいやすいという問題がある。
【０００５】
また、衝撃吸収材は、基盤床面上に、水平二次元方向に所定の分散配置状態となるように設置されなければならず、そのために、各根太状防振部材は、上記のように、所定の間隔おきに並列状態となるように設置していかなければならないが、その作業に手間を要するという問題もある。
【０００６】
本発明は、上記のような問題点に鑑み、基盤床面への衝撃吸収材の設置を能率良く行っていくことができ、しかも、各衝撃吸収材を安定良く設置していくことができ、また、各衝撃吸収材を基盤床面上において該面に沿う二次元方向の所定の位置に容易に設置していくことができる遮音床の施工方法を提供することを課題とする。
【課題を解決するための手段】
【０００７】
上記の課題は、衝撃吸収材を保持板の一方の面部に該面に沿う二次元方向に所定の分散状態となるように配置して保持させたパネル状防振部材を用い、該パネル状防振部材を、衝撃吸収材を下にして基盤床面上に設置した後、該パネル状防振部材の保持板の上に床板を設置することを特徴とする遮音床の施工方法によって解決される（第１発明）。
【０００８】
この方法では、パネル状防振部材の使用によって、基盤床面への衝撃吸収材の設置を能率良く行っていくことができる。
【０００９】
しかも、パネル状防振部材において、衝撃吸収材は、保持板の一方の面部に該面に沿う二次元方向に所定の分散状態となるように配置して保持されているので、パネル状防振部材を基盤床面に設置することで安定良く設置することができて、当たっても保持板とともに転んでしまうことがない。
【００１０】
第１発明において、前記パネル状防振部材が複数枚備えられ、基盤床面上へのこれらパネル状防振部材の設置を、保持板同士を突き合わせ状態にして行っていくとよい（第２発明）。
【００１１】
この場合は、保持板同士が位置決めをし合うことによって、各衝撃吸収材を基盤床面上において該面に沿う二次元方向の所定の位置に容易に設置していくことができる。
【発明の効果】
【００１２】
本発明の遮音床の施工方法は、以上のとおりのものであるから、基盤床面への衝撃吸収材の設置を能率良く行っていくことができ、しかも、各衝撃吸収材を安定良く設置していくことができ、また、各衝撃吸収材を基盤床面上において該面に沿う二次元方向の所定の位置に容易に設置していくことができる。
【発明を実施するための最良の形態】
【００１３】
次に、本発明の実施最良形態を図面に基づいて説明する。
【００１４】
図１〜図５に示す実施形態の遮音床は、建物の階上の鋼製床梁１上に形成された基盤床面２上に遮音床を形成する場合のものであり、基盤床面２は、図１に示すように、下面を床梁１の上面よりも下に位置させ、上面を床梁１の上面よりも上方に位置させるように、床梁１…間に落とし込まれたＡＬＣ板３を用いて構成されたものからなっていて、遮音床の施工は、複数枚のパネル状防振部材４…を用いて行う。
【００１５】
各パネル状防振部材４は、図２（イ−１）（イ−２）に示すように、１モジュールを９００〜１０００ｍｍとした場合に、一辺の長さ寸法Ａ，Ｂがそれぞれ１〜２モジュールの正方形又は長方形の方形板で構成された保持板５を備え、該保持板５の一方の面部に、衝撃吸収材６…が、一方の辺の延びる方向及びもう一方の辺の延びる方向に１／２モジュール以下の間隔寸法ａ，ｂをおいて複数づつ分散配置状態にされて保持されたものである。
【００１６】
なお、各衝撃吸収材６の形態に制限はなく、防振ゴムや、金属バネ、あるいは、それらを組み合わせたものなどからなっていてよい。また、図２（ロ−１）（ロ−２）及び図３に示すように、外壁側や間仕切り下に配置されるパネル状防振部材４については、沈込み防止用の硬質ゴム７…が取り付けられている。
【００１７】
施工は、上記のパネル状防振部材４を複数枚用い、各パネル状防振部材４を図１及び図３に示すように、衝撃吸収材６…を下にして、基盤床面２上に、保持板５…同士を突き合わせ状態にするようにして設置していき、その後、図４に示すように、パネル状防振部材４…の保持板５…の上に合板などからなる床板８を設置していくというようにして行う。
【００１８】
なお、こうして形成された遮音床において、図５に示すように、床板８と内装板９との境界部に設置される幅木１０は、基盤床面２と保持板５との間の空気を室内側に抜くことができるよう、通気幅木で構成されている。
【００１９】
上記の施工方法によれば、パネル状防振部材４…の使用によって、基盤床面２への衝撃吸収材６…の設置を能率良く行っていくことができるのみならず、各パネル状防振部材４において、衝撃吸収材６…は、保持板５の一方の面部に、該面に沿う二次元方向に分散状態に配置されて保持されているので、パネル状防振部材４を基盤床面２に設置することで安定良く設置することができて、当たっても保持板５とともに転んでしまうことはない。
【００２０】
しかも、基盤床面２上へのこれらパネル状防振部材４…の設置を、保持板５…同士を突き合わせ状態にして行っていくようにしているので、保持板５…同士が位置決めをし合うことによって、各衝撃吸収材６…を基盤床面２上において水平二次元方向の所定の各位置に容易に設置していくことができる。
【００２１】
以上に、本発明の実施形態を示したが、本発明はこれに限られるものではなく、発明思想を逸脱しない範囲で各種の変更が可能である。例えば、上記の実施形態では、建物の階上の床梁１上にＡＬＣ板３を用いて形成された基盤床面２上に遮音床を形成する場合を示したが、その他、各種の基盤床面上に形成することも可能である。
【図面の簡単な説明】
【００２２】
【図１】実施形態の施工方法を示すもので、基盤床面上にパネル状防振部材を設置していく工程を示す断面正面図である。
【図２】図（イ−１）はパネル状防振部材の正面図、図（イ−２）は同底面図、図（ロ−１）は他のパネル状防振部材の正面図、図（ロ−２）は同底面図である。
【図３】パネル状防振部材の設置状態を示す平面図である。
【図４】パネル状防振部材の設置状態と、パネル状防振部材の保持板上に床板を設置していく工程とを示す断面正面図である。
【図５】パネル状防振部材の保持板上に床板を設置した状態の断面正面図である。
【符号の説明】
【００２３】
３…基盤床面
４…パネル状防振部材
５…保持板
６…衝撃吸収材
８…床板
【図１】
2009249996.tif 000003
【図２】
2009249996.tif 000004
【図３】
2009249996.tif 000005
【図４】
2009249996.tif 000006
【図５】
2009249996.tif 000007